(57)【要約】      （修正有）【課題】長時間の使用が可能であり、屋内でも対象の位置を精度良く検出できる探索システムを提供する。【解決手段】探索システムは、発信機から識別情報を含む信号を受信する受信部、識別情報を送信する通信部、及び表示部を有する複数の表示装置と、表示装置から識別情報を受信する識別情報受信部、第１ユーザ端末から探索依頼を受信する探索依頼受信部、及び表示装置から受信した識別情報が探索依頼に対応するものである場合、探索対象情報を識別情報の送信元の表示装置へ送信する探索対象情報送信部を有するサーバ装置１と、を備える。表示装置は、サーバ装置から受信した探索対象情報を表示部に表示し、サーバ装置は、第２ユーザ端末から探索対象を撮影した撮影画像を受信し、撮影画像を第１ユーザ端末へ送信する。【選択図】図９
2020027423.tif 000002
【特許請求の範囲】
【請求項１】
発信機から識別情報を含む信号を受信する受信部、前記識別情報を送信する通信部、及び表示部を有する複数の表示装置と、
前記表示装置から前記識別情報を受信する識別情報受信部、第１ユーザ端末から探索依頼を受信する探索依頼受信部、及び前記表示装置から受信した識別情報が前記探索依頼に対応するものである場合、探索対象情報を前記識別情報の送信元の表示装置へ送信する探索対象情報送信部を有するサーバ装置と、
を備え、
前記表示装置は、前記サーバ装置から受信した前記探索対象情報を前記表示部に表示し、
前記サーバ装置は、第２ユーザ端末から探索対象を撮影した撮影画像を受信し、前記撮影画像を前記第１ユーザ端末へ送信することを特徴とする探索システム。
【請求項２】
前記探索依頼受信部は、前記第１ユーザ端末から受信した探索依頼に探索案件番号を割り当て、
前記探索対象情報送信部は、前記探索案件番号を含む前記探索対象情報を前記表示装置へ送信し、
前記サーバ装置は、前記第２ユーザ端末から前記探索案件番号を受信し、前記撮影画像に対応する探索依頼を特定することを特徴とする請求項１に記載の探索システム。
【請求項３】
前記サーバ装置は、撮影画像を送信してきた前記第２ユーザ端末に対しクーポン情報を送信するクーポン処理部をさらに有することを特徴とする請求項１又は２に記載の探索システム。
【請求項４】
前記サーバ装置は、前記第１ユーザ端末から前記撮影画像の評価結果を受信する評価結果受信部をさらに有し、
前記クーポン処理部は、前記評価結果に基づいて前記クーポン情報を送信することを特徴とする請求項３に記載の探索システム。
【請求項５】
前記サーバ装置は、前記表示装置から受信した識別情報が前記探索依頼に対応するものである場合に、前記第１ユーザ端末へ、探索対象が検知されたことを通知する検知情報送信部をさらに有することを特徴とする請求項１乃至４のいずれか１項に記載の探索システム。
【請求項６】
前記検知情報送信部は、前記第１ユーザ端末に対する撮影画像の送信前に、探索対象が検知されたことを前記第１ユーザ端末に通知することを特徴とする請求項５に記載の探索システム。
【請求項７】
前記サーバ装置は、前記複数の表示装置の設置場所を示す表示装置情報を格納した記憶部をさらに備え、
前記検知情報送信部は、前記表示装置情報を参照し、前記識別情報の送信元の表示装置の設置場所情報を前記第１ユーザ端末へ送信することを特徴とする請求項５又は６に記載の探索システム。
【請求項８】
前記表示装置は、筐体の周囲から画面を見ることができる前記表示部を有する証明写真撮影装置、サイネージ機器又は自動販売機であることを特徴とする請求項１乃至７のいずれか１項に記載の探索システム。
【発明の詳細な説明】
【技術分野】
【０００１】
本発明は、探索システムに関し、例えば、行方がわからなくなった人物やペットを探索する探索システムに関する。
【背景技術】
【０００２】
子供やペットの見守りシステムとして、見守り対象にＧＰＳ端末を所持させ（取り付け）、見守り対象の位置を検索・特定するものが知られている。
【０００３】
しかし、ＧＰＳ端末は電池の消耗が大きく、長時間の連続使用は困難であり、頻繁に電池交換や充電をする必要があった。また、屋内や地下空間ではＧＰＳ衛星からの電波を受信し難く、位置測定が困難であった。
【先行技術文献】
【特許文献】
【０００４】
【特許文献１】特開２０１４−５２８８２号公報
【発明の概要】
【発明が解決しようとする課題】
【０００５】
本発明は、長時間の使用が可能であり、屋内でも対象の位置を精度良く検出できる探索システムを提供することを課題とする。
【課題を解決するための手段】
【０００６】
本発明による探索システムは、発信機から識別情報を含む信号を受信する受信部、前記識別情報を送信する通信部、及び表示部を有する複数の表示装置と、前記表示装置から前記識別情報を受信する識別情報受信部、第１ユーザ端末から探索依頼を受信する探索依頼受信部、及び前記表示装置から受信した識別情報が前記探索依頼に対応するものである場合、探索対象情報を前記識別情報の送信元の表示装置へ送信する探索対象情報送信部を有するサーバ装置と、を備え、前記表示装置は、前記サーバ装置から受信した前記探索対象情報を前記表示部に表示し、前記サーバ装置は、第２ユーザ端末から探索対象を撮影した撮影画像を受信し、前記撮影画像を前記第１ユーザ端末へ送信するものである。
【０００７】
本発明の一態様による探索システムにおいて、前記探索依頼受信部は、前記第１ユーザ端末から受信した探索依頼に探索案件番号を割り当て、前記探索対象情報送信部は、前記探索案件番号を含む前記探索対象情報を前記表示装置へ送信し、前記サーバ装置は、前記第２ユーザ端末から前記探索案件番号を受信し、前記撮影画像に対応する探索依頼を特定する。
【０００８】
本発明の一態様による探索システムにおいて、前記サーバ装置は、撮影画像を送信してきた前記第２ユーザ端末に対しクーポン情報を送信するクーポン処理部をさらに有する。
【０００９】
本発明の一態様による探索システムにおいて、前記サーバ装置は、前記第１ユーザ端末から前記撮影画像の評価結果を受信する評価結果受信部をさらに有し、前記クーポン処理部は、前記評価結果に基づいて前記クーポン情報を送信する。
【００１０】
本発明の一態様による探索システムにおいて、前記サーバ装置は、前記表示装置から受信した識別情報が前記探索依頼に対応するものである場合に、前記第１ユーザ端末へ、探索対象が検知されたことを通知する検知情報送信部をさらに有する。
【００１１】
本発明の一態様による探索システムにおいて、前記検知情報送信部は、前記第１ユーザ端末に対する撮影画像の送信前に、探索対象が検知されたことを前記第１ユーザ端末に通知する。
【００１２】
本発明の一態様による探索システムにおいて、前記サーバ装置は、前記複数の表示装置の設置場所を示す表示装置情報を格納した記憶部をさらに備え、前記検知情報送信部は、前記表示装置情報を参照し、前記識別情報の送信元の表示装置の設置場所情報を前記第１ユーザ端末へ送信する。
【００１３】
本発明の一態様による探索システムにおいて、前記表示装置は、筐体の周囲から画面を見ることができる前記表示部を有する証明写真撮影装置、サイネージ機器又は自動販売機である。
【発明の効果】
【００１４】
本発明によれば、長時間の使用が可能であり、屋内でも対象の位置を精度良く検出できる。
【図面の簡単な説明】
【００１５】
【図１】本発明の実施形態に係る探索システムの概略図である。
【図２】発信機の取り付け例を示す図である。
【図３】（ａ）〜（ｃ）は表示装置の例を示す図である。
【図４】探索対象情報の例を示す図である。
【図５】発見者端末の表示画面の例を示す図である。
【図６】探索対象を撮影する様子を示す図である。
【図７】（ａ）は契約者端末の表示画面の例を示す図であり、（ｂ）はクーポン画面の例を示す図である。
【図８】表示装置のブロック構成図である。
【図９】サーバ装置の機能ブロック図である。
【図１０】同実施形態に係る探索方法を説明するフローである。
【発明を実施するための形態】
【００１６】
図１は本発明の実施形態に係る探索システムの概略図である。図１に示すように、探索システムは、サーバ装置１、複数の表示装置２、電波を発信する発信機３、及び考査端末４を備え、行方がわからなくなった人物やペット、自転車等の対象の位置を探索する探索サービスを提供するものである。
【００１７】
発信機３は、探索対象と共に移動する。例えば、図２に示すように、ペットの首輪Ｃに発信機３が取り付けられる。あるいはまた、発信機３を取り付けたベルトを探索対象の腕や脚に巻き付けたり、発信機３付きのシールを自転車のフレームに貼り付けたりしてもよい。以下、探索対象がペットである場合について説明する。
【００１８】
表示装置２は、図３（ａ）〜（ｃ）に示すような証明写真撮影装置２Ａ、サイネージ機器２Ｂ、飲料等の自動販売機２Ｃなどの形態をとり、筐体の周囲から画面が視認可能な表示部２２、発信機３からの信号を受信する受信部２１（図８参照）、サーバ装置１との通信機能等を有する。表示装置２は、街中、建物内、地下通路など、様々な場所に固定して設置されている。
【００１９】
発信機３には、固有の識別情報が割り当てられている。発信機３は、識別情報を含む信号を、所定の電波強度で送信し続けている。表示装置２は、発信機３との間の距離が近付くと、発信機３からの信号を検知して受信する。表示装置２は、受信した信号に含まれる識別情報をサーバ装置１へ送信する。
【００２０】
発信機３は例えばビーコン端末を用いることができ、ビーコン端末に設定されているＭＡＣアドレスや各種ビーコンＩＤ（ＵＵＩＤ、ＭＡＪＯＲ値、ＭＩＮＯＲ値）などを識別情報として送信する。表示装置２が発信機３からの信号を検知できる最大距離は、発信機３の出力強度により異なり、例えば、表示装置２から数百メートル程度の範囲内にいる発信機３からの信号を検知できる。
【００２１】
この探索サービスの契約時に、ユーザ（契約者、飼い主）は、発信機３を取り付けておくペットの画像を提供する。サーバ装置１には、ペットの画像、特徴、ペットに取り付けられている発信機３の識別情報、サービスを契約しているユーザが利用する契約者端末（第１ユーザ端末）５の情報等を含む契約情報が登録されている。
【００２２】
ユーザは、ペットを見失った場合、スマートフォン等の契約者端末５を操作し、サーバ装置１に探索依頼を送信する。サーバ装置１は、契約者端末５から探索依頼を受信すると、契約情報から、探索対象となったペットに取り付けられている発信機３の識別情報を取り出す。
【００２３】
サーバ装置１は、表示装置２から識別情報を受信すると、受信した識別情報と、探索対象の識別情報とを比較する。識別情報が一致した場合、サーバ装置１は、この識別情報を送信してきた表示装置２の位置情報と共に、ペットが検知されたことを契約者端末５に通知する。
【００２４】
また、サーバ装置１は、契約情報に基づいて、探索対象となっているペットの画像や特徴等を含む探索対象情報を生成し、識別情報の送信元の表示装置２へ送信する。表示装置２は、サーバ装置１から受信した探索対象情報を表示部２２に表示する。
【００２５】
例えば、図４に示すように、探索対象の画像、外見の特徴、探索案件番号Ｎなどの探索対象情報が表示部２２に表示される。表示装置２の周辺にいる人々は、表示部２２に表示された情報を確認し、探索対象のペットがいないか周囲を見渡す。探索対象のペットを発見した人は、自身のスマートフォン等の端末（発見者端末６）に事前にインストールされている専用アプリ（アプリケーションプログラム）を立ち上げて、探索対象を選択する。
【００２６】
表示部２２に表示されている二次元コードＱ１を読み取り、専用アプリをダウンロードし、発見者端末６にインストールしてもよい。
【００２７】
例えば、図５に示すような探索対象選択画面が発見者端末６（第２ユーザ端末）のタッチパネル６ａに表示される。発見者は、表示装置２に表示されている探索案件番号Ｎを入力するか、又は現在探索依頼のある探索案件の一覧から探索対象を選択する。
【００２８】
探索対象の選択後、発見者端末６の内蔵カメラが起動する。図６に示すように、発見者端末６のカメラでペットを撮影し、送信ボタンを押すと、撮影画像と、探索対象を特定する情報（探索案件番号）とがサーバ装置１にアップロードされる。
【００２９】
サーバ装置１は、発見者端末６から探索案件番号を受信すると、この探索対象に対応する契約情報に含まれるペットの画像と、発見者端末６から受信した撮影画像とを、考査端末４へ送信する。考査者が、考査端末４で、撮影画像と、契約情報のペット画像とを比較し、撮影画像にペットが写っているか否か確認する。また、撮影画像に第三者が写り込んでいる場合、考査者は第三者の顔にモザイクをかけるなど、画像の修正を行う。
【００３０】
サーバ装置１は、考査端末４による考査処理後、ペットが写った撮影画像を契約者端末５へ送信する。ユーザは、通知された表示装置２の位置情報や、ペットが写った画像の周囲の風景等からペットの居場所を特定し、ペットを容易に探し出すことができる。
【００３１】
サーバ装置１から契約者端末５へ、ペットが検知されたことを通知したり、撮影画像を送信したりする手段は、Ｅメール、ＳＭＳ、プッシュ通知など、特に限定されない。
【００３２】
契約者端末５には、図７（ａ）に示すように、撮影画像Ｇと共に評価ボタンＢ３が表示部５ａに表示される。ユーザは、撮影画像Ｇがペット捜索の手助けになったと思う場合、評価ボタンＢ３を押す。情報量の少ない画像（あまり役に立たない画像）であった場合は、ボタンＢ４を押して評価しなくてもよい。
【００３３】
ユーザが評価ボタンＢ３を押すと、サーバ装置１は、契約者端末５から評価結果を受信し、発見者端末６にクーポン情報を送信する。例えば、発見者端末６には、図７（ｂ）に示すようなクーポンコードＱ２が表示される。
【００３４】
発見者は、クーポンコードＱ２を読み込ませた証明写真撮影装置２Ａで写真撮影を無料で行うことができたり、クーポンコードＱ２を読み込ませた自動販売機２Ｃから飲料を１本無料でもらうことができたりする。あるいはまた、クーポンコードＱ２を読み込ませた証明写真撮影装置２Ａから、近隣の商店で利用可能なクーポン券をプリント出力してもよい。
【００３５】
このように、本実施形態によれば、探索対象のペットが近くにいる表示装置２に探索対象情報を表示し、周囲の人々にペット探索の協力を求めることができる。表示装置２に表示された探索対象情報をもとにペットを発見した人は、自身の端末６でペットを撮影し、撮影画像をアップロードすると、クーポンをもらえる。そのため、発見者に対し何もお礼が無い場合と比較して、ペットの探索や撮影画像のアップロードに対する積極的な協力が期待できる。
【００３６】
次に、表示装置２の構成について説明する。図８に示すように、表示装置２は、演算制御部２０、受信部２１、表示部２２、通信部２３、及び記憶部２４を備え、これらの構成要素が、証明写真撮影装置２Ａ、サイネージ機器２Ｂ、自動販売機２Ｃ等に搭載されたものである。
【００３７】
受信部２１は、ペットに取り付けられた発信機３から識別情報を含む信号を受信する。
【００３８】
表示部２２は、例えば液晶ディスプレイであり、サーバ装置１から受信した探索対象情報を表示する。
【００３９】
通信部２３は、受信部２１が受信した識別情報を、インターネット等を介してサーバ装置１へ送信する。また、通信部２３は、サーバ装置１から探索対象情報を受信する。探索対象情報は記憶部２４に格納される。
【００４０】
次に、サーバ装置１の構成について説明する。図９に示すように、サーバ装置１は、探索プログラム及び表示装置情報が格納された記憶部１０を備えるコンピュータであり、ＣＰＵ（中央演算部）が探索プログラムを実行することで、登録処理部１０１、探索依頼受信部１０２、識別情報受信部１０３、判定部１０４、検知情報送信部１０５、探索対象情報送信部１０６、画面送信部１０７、画像受信部１０８、考査処理部１０９、画像送信部１１０、評価結果受信部１１１及びクーポン処理部１１２が実現される。
【００４１】
表示装置情報は、複数の表示装置２の設置場所の情報を含む。サーバ装置１の各部の機能を図１０に示すフローに沿って説明する。
【００４２】
登録処理部１０１は、探索サービスの利用登録を受け付け、ペットの画像や特徴、ユーザ（飼い主）に配布し、ペットに取り付けられる発信機３の識別情報、契約者端末５の情報等を含む契約情報を記憶部１０に格納する。
【００４３】
探索依頼受信部１０２は、契約者端末５から探索依頼を受信する（ステップＳ１）。探索依頼受信部１０２は、契約情報を参照し、契約者端末５の情報や、探索依頼に含まれる契約番号等から、探索対象のペットに取り付けられた発信機３の識別情報を特定する。探索依頼受信部１０２は、受信した探索依頼に探索案件番号を割り当てる。
【００４４】
表示装置２が、発信機３から信号を受信すると（ステップＳ２）、受信した信号に含まれる識別情報をサーバ装置１へ送信する（ステップＳ３）。識別情報受信部１０３は、表示装置２から識別情報を受信する。
【００４５】
判定部１０４は、表示装置２から受信した識別情報と、探索対象となっている識別情報とを比較し、一致するか否か判定する（ステップＳ４）。
【００４６】
識別情報が一致した場合、検知情報送信部１０５は、表示装置情報を参照し、この識別情報を送信してきた表示装置２の位置情報と共に、ペットが検知されたことを契約者端末５に通知する（ステップＳ５）。
【００４７】
また、識別情報が一致した場合、探索対象情報送信部１０６は、契約情報を参照し、探索対象となっているペットの画像や特徴、探索案件番号等を含む探索対象情報を生成し、識別情報の送信元の表示装置２へ送信する（ステップＳ６）。探索対象情報送信部１０６は、撮影画像をアップロードするのに必要なアプリのダウンロードサイトのＵＲＬ（Uniform  Resource  Locator）を示す二次元コードも表示装置２へ送信する。
【００４８】
表示装置２が、サーバ装置１から受信した探索対象情報を表示部２２に表示する（ステップＳ７）。表示部２２に表示された情報を確認し、周辺にいる探索対象のペットを発見した発見者は、自身の発見者端末６の専用アプリを起動し（ステップＳ８）、探索案件を選択する（ステップＳ９）。探索案件の選択は、表示装置２に表示されている探索案件番号の入力でもよいし、探索案件一覧から選択してもよい。探索案件一覧は、アプリの起動に伴い発見者端末６がサーバ装置１と通信を行い、サーバ装置１から取得する。
【００４９】
探索案件を選択すると、発見者端末６の内蔵カメラが起動する（ステップＳ１０）。発見者は、ペットを撮影し、撮影画像及び探索案件番号をサーバ装置１にアップロードする（ステップＳ１１、Ｓ１２）。
【００５０】
画像受信部１０８は、発見者端末６から、撮影画像及び探索案件番号を受信する。考査処理部１０９は、契約情報から、受信した探索案件番号に対応するペット画像を取り出し、このペット画像と、発見者端末６から受信した撮影画像とを考査端末４へ送信し、考査処理を実行する（ステップＳ１３）。
【００５１】
画像送信部１１０は、考査処理によりペットが写っていると判定された撮影画像を契約者端末５へ送信する（ステップＳ１４）。契約者端末５へ送信される撮影画像は、必要に応じて考査端末４により修正を施した画像である。例えば、撮影画像内の第三者の顔にモザイクがかけられていたり、撮影画像内のペットに矢印が付されたりしている。撮影画像にペットが写っているか否かの判定や、撮影画像内の人物の顔画像にモザイクをかける処理は、サーバ装置１が行ってもよい。
【００５２】
ユーザは、契約者端末５に表示された撮影画像を確認し、この画像を評価する（ステップＳ１５，Ｓ１６）。評価結果受信部１１１は、契約者端末５から評価結果を受信する（ステップＳ１７）。クーポン処理部１１２は、評価結果に応じて、クーポン情報を発見者端末６へ送信する（ステップＳ１８）。例えば、ステップＳ１２で発見者端末６から撮影画像を受信した際に、発見者端末６のアプリＩＤを記憶しておき、このアプリＩＤを利用して、発見者端末６へクーポン情報を送信する。
【００５３】
発見者は、クーポンコードＱ２を証明写真撮影装置２Ａの読取部にかざす。証明写真撮影装置２Ａは、読取部が読み取った情報をサーバ装置１へ送信する。サーバ装置１は、証明写真撮影装置２Ａに対し、正規のクーポンであることを通知する。発見者は、証明写真撮影装置２Ａで無料撮影を行ったり、証明写真撮影装置２Ａからクーポン券を発行したりできる。
【００５４】
このように、本実施形態によれば、街中に多数設置された表示装置２（証明写真撮影装置２Ａ、サイネージ機器２Ｂ、自動販売機２Ｃなど）を利用し、探索依頼のあったペットが表示装置２の近くを通り、表示装置２が発信機３から信号を受信すると、このペットに関する探索対象情報が表示装置２に表示される。表示装置２に表示された情報を確認した人は、周囲を探し、ペットを見つけると、撮影して撮影画像をアップロードする。
【００５５】
サーバ装置１は、表示装置２の位置情報や撮影画像を契約者端末５へ送信する。ＧＰＳを利用するものでないため、ペットが建物内にいても発信機３からの信号を受信できる。
【００５６】
ユーザは、サーバ装置１から通知された表示装置２の位置情報や、ペットが写った画像の周囲の風景等からペットの居場所を精確に特定し、ペットを容易に探し出すことができる。
【００５７】
ペットを発見して撮影画像をアップロードするとクーポンがもらえるため、表示装置２に表示された探索対象情報をみた人が、ペット探索に積極的に協力することが期待できる。
【００５８】
発見者による撮影の前に、表示装置２の位置情報と共に、ペットが検知されたことを契約者端末５に通知するため、ユーザは、ペットを探しに表示装置２の周辺へ速やかに移動を開始できる。
【００５９】
また、発信機３がBluetooth  Low  Energy（登録商標）を用いたビーコン端末である場合、消費電力が小さく、長時間使用することができる。
【００６０】
ユーザによる画像の評価に複数のレベルを設定し、レベルに応じて異なるクーポンを発見者に配信してもよい。
【００６１】
上記実施形態では、発見者端末６で専用アプリを起動し、探索案件を選択してから探索対象のペットを撮影する例について説明したが、先に発見者端末６の内蔵カメラでペットを撮影してから、専用アプリを起動し、探索案件を選択し、撮影画像をサーバ装置１へ送信してもよい。これにより、表示部２２に表示された情報を確認してペットを発見した発見者は、すぐにカメラを起動して撮影し、撮影後、余裕をもって専用アプリで撮影画像をアップロードすることができる。
【００６２】
上記実施形態では、探索対象をペットとする場合について説明したが、探索対象は子供や老人等の人物であってもよいし、自転車、バイク、鞄等の物品であってもよい。
【００６３】
上記実施形態では、探索案件番号を入力したり、探索案件一覧から選択したりすることで探索対象を特定する例について説明したが、発見者端末６を用いて発信機３から発信される信号を受信し、受信した信号に含まれる識別情報を、探索対象を撮影した画像と共にサーバ装置１へ送信してもよい。
【００６４】
上記実施形態において、発信機３はビーコンに限定されず、識別情報を含む信号を連続して送信できる低消費電力の機器であればよい。
【００６５】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６６】
１  サーバ装置
２  表示装置
３  発信機
４  考査端末
５  契約者端末
６  発見者端末
【図１】
2020027423.tif 000003
【図２】
2020027423.tif 000004
【図３】
2020027423.tif 000005
【図４】
2020027423.tif 000006
【図５】
2020027423.tif 000007
【図６】
2020027423.tif 000008
【図７】
2020027423.tif 000009
【図８】
2020027423.tif 000010
【図９】
2020027423.tif 000011
【図１０】
2020027423.tif 000012